【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
印刷装置に送信される前の形式である中間形式の印刷ジョブを記憶するプリントサーバと印刷装置とを含むプリントシステムであって、
前記プリントサーバは、
前記中間形式の印刷ジョブを記憶する記憶手段と、
前記印刷装置から前記印刷ジョブに対するプレビュー画像要求を受信した場合、前記記憶手段に記憶された前記中間形式の印刷ジョブからプレビュー画像を生成する第１生成手段と、
前記印刷装置から前記印刷ジョブに対する印刷要求を受信した場合、前記記憶手段に記憶された前記中間形式の印刷ジョブから前記印刷装置が解釈可能な印刷データを生成する第２生成手段と、
前記第１生成手段により生成されたプレビュー画像、または、前記第２生成手段により生成された前記印刷データを前記印刷装置に送信する送信手段と
を有し、
前記印刷装置は、
操作パネルを介して受け付けた指示に従って印刷ジョブを選択する選択手段と、
前記選択手段により選択された印刷ジョブの前記プレビュー画像要求を前記プリントサーバへ送信するプレビュー要求送信手段と、
前記プレビュー画像要求に従って前記プリントサーバが送信した前記プレビュー画像を受信し、表示する表示手段と、
前記選択手段により選択された印刷ジョブの前記印刷要求を前記プリントサーバへ送信する印刷要求送信手段と、
前記印刷要求に従って前記プリントサーバが送信した前記印刷データを受信し、前記印刷データに基づく印刷処理を実行する印刷制御手段と
を有することを特徴とするプリントシステム。
【請求項２】
前記プリントサーバは、前記印刷要求を発行したプリンタのプリンタドライバを備えない場合、前記プリンタドライバのインストール処理を実行するインストール手段を更に有することを特徴とする請求項１に記載のプリントシステム。
【請求項３】
前記印刷装置のプレビュー要求送信手段は、前記プレビュー画像要求としてプレビュー画像のデータ形式を含む前記プレビュー画像要求を前記プリントサーバへ送信し、
前記プリントサーバの前記第１生成手段は、前記プレビュー画像要求に含まれるデータ形式のプレビュー画像を生成することを特徴とする請求項１に記載のプリントシステム。
【請求項４】
前記中間形式とは、ＸＰＳ、ＥＭＦ、ＰＤＦのいずれかであることを特徴とする請求項１に記載のプリントシステム。
【請求項５】
印刷装置の操作パネルを介して受け付けられた指示に従って印刷データを送信するプリントサーバであって、
フォーマットに関して公開された中間形式の印刷ジョブを記憶する記憶手段と、
前記印刷装置から前記印刷ジョブに対するプレビュー画像要求を受信した場合、前記記憶手段に記憶された前記中間形式の印刷ジョブからプレビュー画像を生成する第１生成手段と、
前記印刷装置から前記印刷ジョブに対する印刷要求を受信した場合、前記記憶手段に記憶された前記中間形式の印刷ジョブから前記印刷装置が解釈可能な印刷データを生成する第２生成手段と、
前記第１生成手段により生成されたプレビュー画像、または、前記第２生成手段により生成された前記印刷データを前記印刷装置に送信する送信手段と
を有することを特徴とするプリントサーバ。
【請求項６】
印刷装置に送信される前の形式である中間形式の印刷ジョブを記憶するプリントサーバと印刷装置とを含むプリントシステムにおける印刷方法であって、
前記プリントサーバにおいて、
前記中間形式の印刷ジョブを記憶部に記憶する記憶工程と、
前記印刷装置から前記印刷ジョブに対するプレビュー画像要求を受信した場合、前記記憶部に記憶された前記中間形式の印刷ジョブからプレビュー画像を生成する第１生成工程と、
前記印刷装置から前記印刷ジョブに対する印刷要求を受信した場合、前記記憶部に記憶された前記中間形式の印刷ジョブから前記印刷装置が解釈可能な印刷データを生成する第２生成工程と、
前記第１生成工程にて生成されたプレビュー画像、または、前記第２生成工程にて生成された前記印刷データを前記印刷装置に送信する送信工程と
を有し、
前記印刷装置において、
操作パネルを介して受け付けた指示に従って印刷ジョブを選択する選択工程と、
前記選択工程にて選択された印刷ジョブの前記プレビュー画像要求を前記プリントサーバへ送信するプレビュー要求送信工程と、
前記プレビュー画像要求に従って前記プリントサーバが送信した前記プレビュー画像を受信し、表示部に表示する表示工程と、
前記選択工程にて選択された印刷ジョブの前記印刷要求を前記プリントサーバへ送信する印刷要求送信工程と、
前記印刷要求に従って前記プリントサーバが送信した前記印刷データを受信し、前記印刷データに基づく印刷処理を実行する印刷制御工程と
を有することを特徴とする印刷方法。
【請求項７】
前記プリントサーバにおいて、当該プリントサーバが前記印刷要求を発行したプリンタのプリンタドライバを備えない場合、前記プリンタドライバのインストール処理を実行するインストール工程を更に有することを特徴とする請求項６に記載の印刷方法。
【請求項８】
前記印刷装置のプレビュー要求送信工程において、前記プレビュー画像要求としてプレビュー画像のデータ形式を含む前記プレビュー画像要求を前記プリントサーバへ送信し、
前記プリントサーバの前記第１生成工程において、前記プレビュー画像要求に含まれるデータ形式のプレビュー画像を生成することを特徴とする請求項６に記載の印刷方法。
【請求項９】
前記中間形式とは、ＸＰＳ、ＥＭＦ、ＰＤＦのいずれかであることを特徴とする請求項６に記載の印刷方法。
【請求項１０】
印刷装置の操作パネルを介して受け付けられた指示に従って印刷データを送信するプリントサーバの制御方法であって、
フォーマットに関して公開された中間形式の印刷ジョブを記憶部に記憶する記憶工程と、
前記印刷装置から前記印刷ジョブに対するプレビュー画像要求を受信した場合、前記記憶部に記憶された前記中間形式の印刷ジョブからプレビュー画像を生成する第１生成工程と、
前記印刷装置から前記印刷ジョブに対する印刷要求を受信した場合、前記記憶部に記憶された前記中間形式の印刷ジョブから前記印刷装置が解釈可能な印刷データを生成する第２生成工程と、
前記第１生成工程にて生成されたプレビュー画像、または、前記第２生成工程にて生成された前記印刷データを前記印刷装置に送信する送信工程と
を有することを特徴とする制御方法。
【請求項１１】
コンピューターを、
フォーマットに関して公開された中間形式の印刷ジョブを記憶する記憶手段、
印刷装置から前記印刷ジョブに対するプレビュー画像要求を受信した場合、前記記憶手段に記憶された前記中間形式の印刷ジョブからプレビュー画像を生成する第１生成手段、
前記印刷装置から前記印刷ジョブに対する印刷要求を受信した場合、前記記憶手段に記憶された前記中間形式の印刷ジョブから前記印刷装置が解釈可能な印刷データを生成する第２生成手段、
前記第１生成手段により生成されたプレビュー画像、または、前記第２生成手段により生成された前記印刷データを前記印刷装置に送信する送信手段
として機能させるためのプログラム。
【手続補正２】
【補正対象書類名】明細書
【補正対象項目名】発明の名称
【補正方法】変更
【補正の内容】
【発明の名称】プリントシステム、印刷方法、プリントサーバおよびその制御方法、並びにプログラム
【手続補正３】
【補正対象書類名】明細書
【補正対象項目名】０００１
【補正方法】変更
【補正の内容】
【０００１】
本発明は、プルプリント制御を行うプリントシステム、印刷方法、プリントサーバおよびその制御方法、並びにプログラムに関する。
【手続補正４】
【補正対象書類名】明細書
【補正対象項目名】０００７
【補正方法】変更
【補正の内容】
【０００７】
上記課題を解決するため、本発明は以下の構成を有する。すなわち、印刷装置に送信される前の形式である中間形式の印刷ジョブを記憶するプリントサーバと印刷装置とを含むプリントシステムであって、前記プリントサーバは、前記中間形式の印刷ジョブを記憶する記憶手段と、前記印刷装置から前記印刷ジョブに対するプレビュー画像要求を受信した場合、前記記憶手段に記憶された前記中間形式の印刷ジョブからプレビュー画像を生成する第１生成手段と、前記印刷装置から前記印刷ジョブに対する印刷要求を受信した場合、前記記憶手段に記憶された前記中間形式の印刷ジョブから前記印刷装置が解釈可能な印刷データを生成する第２生成手段と、前記第１生成手段により生成されたプレビュー画像、または、前記第２生成手段により生成された前記印刷データを前記印刷装置に送信する送信手段とを有し、前記印刷装置は、操作パネルを介して受け付けた指示に従って印刷ジョブを選択する選択手段と、前記選択手段により選択された印刷ジョブの前記プレビュー画像要求を前記プリントサーバへ送信するプレビュー要求送信手段と、前記プレビュー画像要求に従って前記プリントサーバが送信した前記プレビュー画像を受信し、表示する表示手段と、前記選択手段により選択された印刷ジョブの前記印刷要求を前記プリントサーバへ送信する印刷要求送信手段と、前記印刷要求に従って前記プリントサーバが送信した前記印刷データを受信し、前記印刷データに基づく印刷処理を実行する印刷制御手段とを有する。